(57)【要約】【課題】掃除や塗料の塗布等に使用されるローラー具において、一つのローラー具で、ロール体を回転自在とした状態での使用と、ロール体の回転を抑止させた状態での使用とを使い分けることが可能なローラー具の提供を課題とする。【解決手段】把持部１０と、シャフト２０と、筒状支持部３０と、ロール体４０とを備え、筒状支持部３０は、シャフト２０に挿通される挿通側端部Ｓの内周面に嵌合用凹部３３を備えると共に、シャフト２０は、その外周面Ｇに嵌合用凹部３３と嵌合する嵌合用凸部２１を備え、嵌合用凸部２１よりも先端位置で筒状支持部３０をシャフト２０に挿通させた場合には、筒状支持部３０の回転が許容され、嵌合用凸部２１と嵌合用凹部３３とが嵌合する位置で筒状支持部３０をシャフト２０に挿通させた場合には、筒状支持部３０の回転が抑止されることを特徴とするローラー具１である。【選択図】      図１
0003205139.tif 000002
【実用新案登録請求の範囲】
【請求項１】
把持部を有するシャフトと、該シャフトに挿通されて回転自在に支持される筒状支持部と、該筒状支持部の外周に取り付けられるロール体とを備え、掃除や塗料の塗布等に使用するローラー具であって、前記筒状支持部は、前記シャフトに挿通される挿通側端部の内周面に嵌合用凹部を備えると共に、前記シャフトは、その外周面に前記嵌合用凹部と嵌合する嵌合用凸部を備え、前記嵌合用凸部よりも先端位置で前記筒状支持部をシャフトに挿通させた場合には、筒状支持部の回転が許容され、前記嵌合用凸部と前記嵌合用凹部とが嵌合する位置で前記筒状支持部をシャフトに挿通させた場合には、筒状支持部の回転が抑止されることを特徴とするローラー具。
【請求項２】
嵌合用凹部を、筒状支持部の内周面における径方向の対称位置に少なくとも一対備えると共に、嵌合用凸部を、シャフトの外周面における径方向の対称位置に少なくとも一対備えることを特徴とする請求項１に記載のローラー具。
【請求項３】
把持部と、シャフトと、筒状支持部とが同軸上に配置されていることを特徴とする請求項１又は２に記載のローラー具。
【請求項４】
筒状支持部に、内径がシャフトの直径よりも小さく、外径が筒状支持部の内径よりも大きく且つ筒状支持部の外径よりも小さいＣ形リングを配置してあると共に、該Ｃ形リングにシャフトを挿通させた際の復元力によって筒状支持部がシャフトに支持されることを特徴とする請求項１〜３の何れか１項に記載のローラー具。
【考案の詳細な説明】
【技術分野】
【０００１】
本考案は、掃除や塗料の塗布等に使用するローラー具に関する。
【背景技術】
【０００２】
従来、掃除や塗料の塗布等に使用するローラー具は、把持部を有するシャフトに、掃除や塗料の塗布等の作業を行う作業部となるロール体を回転自在に取り付けて構成されるものが一般的であった。
このような従来のローラー具を示す従来技術として、下記特許文献１、特許文献２がある。
【先行技術文献】
【特許文献】
【０００３】
【特許文献１】特開２０００−２５４０８８号公報
【特許文献２】特開２０００−８４４７１号公報
【考案の概要】
【考案が解決しようとする課題】
【０００４】
上記特許文献１は、ロール式掃除具に関する発明で、清掃時の粘着面の粘着力の低下が少なく、粘着性の持続性が大きく、特に手間をかけることなく、簡便な操作で、同じシートの面積でより広い面積を清掃できるというメリットがある。
また上記特許文献２は、塗装ロール外し具に関する発明で、塗料が塗布された塗装ロールの交換をウエス等を使用することなく、簡単に行うことができるというメリットがある。
しかし、このような従来のローラー具においては、使用時にロール体が常に回転する状態にあり、ロール体の回転を抑止させた状態での使用ができないという問題があった。
【０００５】
そこで本考案は上記従来技術の問題を解消し、掃除や塗料の塗布等に使用されるローラー具において、一つのローラー具で、ロール体を回転自在とした状態での使用と、ロール体の回転を抑止させた状態での使用とを使い分けることが可能なローラー具の提供を課題とする。
【課題を解決するための手段】
【０００６】
本考案のローラー具は、把持部を有するシャフトと、該シャフトに挿通されて回転自在に支持される筒状支持部と、該筒状支持部の外周に取り付けられるロール体とを備え、掃除や塗料の塗布等に使用するローラー具であって、前記筒状支持部は、前記シャフトに挿通される挿通側端部の内周面に嵌合用凹部を備えると共に、前記シャフトは、その外周面に前記嵌合用凹部と嵌合する嵌合用凸部を備え、前記嵌合用凸部よりも先端位置で前記筒状支持部をシャフトに挿通させた場合には、筒状支持部の回転が許容され、前記嵌合用凸部と前記嵌合用凹部とが嵌合する位置で前記筒状支持部をシャフトに挿通させた場合には、筒状支持部の回転が抑止されることを第１の特徴としている。
【０００７】
また本考案のローラー具は、上記第１の特徴に加えて、嵌合用凹部を、筒状支持部の内周面における径方向の対称位置に少なくとも一対備えると共に、嵌合用凸部を、シャフトの外周面における径方向の対称位置に少なくとも一対備えることを第２の特徴としている。
【０００８】
また本考案のローラー具は、上記第１又は第２の特徴に加えて、把持部と、シャフトと、筒状支持部とが同軸上に配置されていることを第３の特徴としている。
【０００９】
また本考案のローラー具は、上記第１〜第３の何れか１つの特徴に加えて、筒状支持部に、内径がシャフトの直径よりも小さく、外径が筒状支持部の内径よりも大きく且つ筒状支持部の外径よりも小さいＣ形リングを配置してあると共に、該Ｃ形リングにシャフトを挿通させた際の復元力によって筒状支持部がシャフトに支持されることを第４の特徴としている。
【考案の効果】
【００１０】
請求項１に記載のローラー具によれば、シャフトに嵌合用凸部を設け、筒状支持部に嵌合用凸部と嵌合する嵌合用凹部を設ける構成とし、嵌合用凸と嵌合用凹部とを嵌合させない状態での使用と、嵌合させた状態での使用との何れの使用も可能な構成とすることで、一つのローラー具で、ロール体を回転自在とした状態での使用と、ロール体の回転を抑止させた状態での使用とを用途によって使い分けることができる。よって多用途での使用が可能なローラー具とすることができる。
【００１１】
また請求項２に記載のローラー具によれば、上記第１の特徴による作用効果に加えて、嵌合用凹部と嵌合用凸部との嵌合状態を一段と確実に保持することができる。よって筒状支持部を介してロール体の回転を一段と確実に抑止することができる。従って作業性の良いローラー具とすることができる。
【００１２】
また請求項３に記載のローラー具によれば、上記第１又は第２の特徴による作用効果に加えて、ロール体で作業を行う場所が奥行きのある場所や間口が狭い場所であってもロール体を容易に作業位置に配置させることができる。よって作業性の良いローラー具とすることができる。
【００１３】
また請求項４に記載のローラー具によれば、上記第１〜第３の何れか１つの特徴による作用効果に加えて、筒状支持部を一段と確実にシャフトで支持することができる。よって使用時に筒状支持部がシャフトから抜け落ちることを効果的に防止することができる。
【図面の簡単な説明】
【００１４】
【図１】本考案の実施形態に係るローラー具の分解斜視図である。
【図２】本考案の実施形態に係るローラー具における筒状支持部の構造を示す図で、（ａ）は要部の斜視図、（ｂ）はＣ形リングの正面図、（ｃ）は筒状支持部の要部の正面図、（ｄ）は筒状支持部の要部の側面図である。
【図３】本考案の実施形態に係るローラー具の使用状態を示す図で、（ａ）はロール体が回転可能な状態における使用状態を示す図、（ｂ）はロール体が回転不能な状態における使用状態を示す図である。
【図４】本考案の実施形態に係るローラー具の断面図で、（ａ）は図３のＡ−Ａ線方向における断面図、（ｂ）は図３のＢ−Ｂ線方向における断面図である。
【考案を実施するための形態】
【００１５】
以下の図面を参照して、本考案の実施形態に係るローラー具を説明し、本考案の理解に供する。しかし、以下の説明は本考案の実用新案登録請求の範囲に記載の考案を限定するものではない。
【００１６】
本考案の実施形態に係るローラー具１は、掃除や塗料の塗布等の作業に使用するものである。このローラー具１は、図１に示すように、把持部１０と、シャフト２０と、筒状支持部３０と、ロール体４０とで構成される。
【００１７】
前記把持部１０は、ローラー具１を使用する際に使用者が把持するためのものである。本実施形態においては、直方体形状のプラスチック素材で把持部１０を形成してある。また把持部１０とシャフト２０とが同軸上に配置されるように、把持部１０の長手方向の一端側にシャフト２０を取り付ける（固定する）構成としてある。
勿論、把持部１０の構成は本実施形態のものに限るものではなく、形状、素材、シャフトの取付け位置等は、用途に合わせて適宜変更可能である。
【００１８】
前記シャフト２０は、把持部１０に取り付けられると共に、筒状支持部３０を挿通させて、筒状挿通部３０を回転自在に支持するためのものである。
本実施形態においては、図１、図４に示すように、シャフト２０として、断面円形の細長い棒状部材を用いる構成としてある。更に棒状部材として、ステンレスの棒材を用いる構成としてある。
また本実施形態においては、図１、図３に示すように、シャフト２０において、把持部１０に取り付けられる側とは反対側の端部に筒状支持部３０を挿通させて支持する構成としてある。
【００１９】
更に本実施形態においては、図１、図３、図４に示すように、シャフト２０の外周面Ｇの一部に、後述する嵌合用凹部と嵌合する嵌合用凸部２１を備える構成としてある。より具体的には、図４（ｂ）に示すように、シャフト２０の外周面Ｇにおける径方向の対称位置に一対の嵌合用凸部２１を設ける構成としてある。また本実施形態においては、図１、図４（ｂ）に示すように、幅Ｃ（周方向の長さ）がシャフト２０の直径よりも短い直方体形状で嵌合用凸部２１を形成する構成としてある。
なお、シャフト２０の外周面Ｇに嵌合用凸部２１を形成する加工方法は、如何なる加工方法を用いてもよい。
またシャフト２０や嵌合用凸部２１の形状や大きさ、材質、嵌合用凸部２１の数や配置位置等は本実施形態のものに限るものではなく、適宜変更可能である。
【００２０】
前記筒状支持部３０は、シャフト２０に回転自在に支持されて、ロール体４０の芯材となるものである。
本実施形態においては、図１〜図４に示すように、シャフト２０を挿通可能な断面円形の挿通孔３１を備える円筒状体で筒状支持部３０を形成する構成としてある。また本実施形態においては、図１に示すように、シャフト２０を挿通させる側となる挿通側端部Ｓから反対側の端部の手前までに渡って挿通孔３１を設ける構成としてある。
また本実施形態においては、図２（ａ）に示すように、挿通側端部Ｓの近傍位置における筒状支持部３０の内部にＣ形リング３２を内在させる構成としてある。本実施形態においては、Ｃ形リング３２の挿通孔３２ａの内径Ｄが、シャフト２０の直径よりも小さい構成としてある。またＣ形リング３２の外径Ｅが、筒状支持部３０の挿通孔３１の内径Ｆよりも大きく且つ筒状支持部３０の外径Ｈよりも小さい構成としてある。なお、ここで「近傍位置」とは、挿通側端部Ｓから３ｃｍ程度の距離のことを意味するものである。また筒状支持部３０にＣ形リング３２を内在させる構成としては、シャフト２０に筒状支持部３０を抜き差しした際に、Ｃ形リング３２が軸方向に移動しない構成であれば、如何なる構成であってもよい。
【００２１】
更に本実施形態においては、図１、図２に示すように、筒状支持部３０の挿通側端部Ｓの内周面Ｎに、シャフト２０の嵌合用凸部２１と嵌合する嵌合用凹部３３を一対備える構成としてある。より具体的には、図２（ｃ）、図４に示すように、筒状支持部３０の内周面Ｎにおける径方向の対称位置に一対の嵌合用凹部３３を設ける構成としてある。なお、図２（ｃ）、（ｄ）に示す嵌合用凹部３３の深さＪ、幅Ｋ、長さＬは、図４（ｂ）、図１に示す嵌合用凸部２１の高さＭ、幅Ｃ、長さＰと同等の大きさとすることが望ましい。
【００２２】
このような構成からなる筒状支持部３０は、図３に示すように、シャフト２０に挿通されることで、シャフト２０と同軸上に配置される。
【００２３】
前記ロール体４０は、掃除や塗料の塗布等を行う際の作業部を構成するものである。本実施形態においては、図１に示すように、筒状支持部３０を挿通可能な挿通孔４１を備える円筒状体でロール体４０を形成する構成としてある。
また本実施形態においては、ロール体４０として、マイクロファイバ―をロール状に形成してなるロール体を用いる構成としてある。勿論、ロール体４０の材質は本実施形態のものに限るものではなく、適宜変更可能である。
本実施形態においては、このようなロール体４０を、筒状支持部３０の外周に接着剤（図示しない）を介して接着させる構成としてある。
【００２４】
次に図３、図４を参照して、このような構成からなるローラー具１を使用する場合を説明する。
【００２５】
まずロール体４０を回転自在とした状態でローラー具１を使用する場合を説明する。
この場合、図３（ａ）、図４（ａ）に示すように、シャフト２０における嵌合用凸部２１よりも先端位置（先端側の位置）で、筒状支持部３０をシャフト２０に挿通させる。なお、この場合は少なくともＣ形リング３２の復元力で筒状支持部３０がシャフト２０に支持される位置まで筒状支持部３０をシャフト２０に挿通させることが必要である。
これにより、ロール体４０を備える筒状支持部３０が、Ｃ形リング３２を介してシャフト２０に回転自在な状態で支持される。
このような使用状態は、例えばロール体４０を回転させながら埃などを掃除する場合に有用である。
なお本実施形態においては、筒状支持部３０の挿通側端部Ｓの近傍位置にＣ形リング３２を設ける構成である。よって嵌合用凸部２１よりも先端位置で筒状支持部３０をシャフト２０に挿通させる構成であれば、ローラー具１の使用環境や用途によって、シャフト２０に対する筒状支持部３０を挿通させる長さは適宜変更可能である。
【００２６】
次にロール体４０の回転を抑止させた状態でローラー具１を使用する場合を説明する。
この場合は、図３（ｂ）、図４（ｂ）に示すように、嵌合用凸部２１と嵌合用凹部３３とが嵌合する位置で筒状支持部３０をシャフト２０に挿通させる。
これによりロール体４０を備える筒状支持部３０が、Ｃ形リング３２を介してシャフト２０に回転不能な状態で支持される。
このような使用状態は、例えば塗料の艶出し用としてローラー具１を使用する場合に有用である。
【００２７】
このような構成からなる本考案の実施形態に係るローラー具１は、以下のような効果を奏する。
【００２８】
シャフト２０に嵌合用凸部２１を設け、筒状支持部３０に嵌合用凸部２１と嵌合する嵌合用凹部３３を設ける構成とし、嵌合用凸２１と嵌合用凹部３３とを嵌合させない状態での使用と、嵌合させた状態での使用との何れの使用も可能な構成とすることで、一つのローラー具１で、ロール体４０を回転自在とした状態での使用と、ロール体４０の回転を抑止させた状態での使用とを用途によって使い分けることができる。よって多用途での使用が可能なローラー具１とすることができる。
【００２９】
また嵌合凸部２１と嵌合用凹部３３とを、それぞれ径方向に一対設ける構成とすることで、嵌合用凸部２１と嵌合用凹部３３との嵌合状態を一段と確実に保持することができる。よって筒状支持部３０を介してロール体４０の回転を一段と確実に抑止することができる。従って作業性の良いローラー具１とすることができる。
【００３０】
また把持部１０と、シャフト２０と、筒状支持部３０とを同軸上に配置する構成とすることで、ローラー具１で作業を行う場所が奥行きのある場所や間口が狭い場所であっても、ロール体４０を容易に作業位置に配置させることができる。よって作業性の良いローラー具１とすることができる。
【００３１】
また内径Ｄがシャフト２０の直径よりも小さく、外径Ｅが筒状支持部３０の挿通孔の内径Ｆよりも大きく且つ筒状支持部３０の外径Ｈよりも小さいＣ形リング３２を、筒状支持部３０の内部に配置すると共に、Ｃ形リング３２にシャフト２０を挿通させた際の復元力によって筒状支持部３０がシャフト２０に支持される構成とすることで、筒状支持部３０を一段と確実にシャフト２０で支持することができる。よって使用時に筒状支持部３０がシャフト２０から抜け落ちることを効果的に防止することができる。
【００３２】
また挿通側端部Ｓの近傍位置にＣ形リング３２を設ける構成とすることで、シャフト２０に対する筒状支持部３０の挿通長さ（深さ）を変えるだけで、ローラー具１の全長を容易に変更可能なローラー具１とすることができる。
【００３３】
なお本実施形態においては、Ｃ形リング３２を筒状支持部３０に内在させる構成としたが、必ずしもこのような構成に限るものではない。つまり、シャフト２０に筒状挿通部３０を挿通させた際に、Ｃ形リング３２による復元力を介して筒状挿通部３０をシャフト２０に支持させることができる構成であれば、筒状支持部３０に対するＣ形リング３２の配置構成は如何なる構成であってもよい。
【００３４】
また本実施形態においては、ロール体４０を筒状支持部３０の外周に接着剤を介して接着させる構成としたが、必ずしもこのような構成に限るものではない。例えばロール体４０を筒状支持部３０に着脱自在に取り付ける構成としてもよい。このような構成とすることで、ロール体４０や筒状支持部３０を個別に交換可能なローラー具１とすることができる。
【００３５】
また本実施形態においては、把持部１０にシャフト２０を固定して取り付ける構成としたが、必ずしもこのような構成に限るものではない。例えば把持部１０に電動機構を備え、シャフト２０を自動回転させることが可能な状態で把持部１０にシャフト２０を取り付ける構成としてもよい。このような構成とすることで、ローラー具１を使用する場所が狭く、ローラー具１を左右に動かしてロール体４０を回転させることができない状況においても、ロール体４０を自由に回転させて作業を行うことが可能となる。よって作業性に優れたローラー具１とすることができる。なお、シャフト２０を自動回転させる場合は、嵌合凸部２１と嵌合用凹部３３とを嵌合させた状態ですることが必要である。
【産業上の利用可能性】
【００３６】
本考案のローラー具は、掃除や塗料の塗布等の作業時に有用であることから、掃除用具や塗装用具等の分野において有用であり、産業上の利用可能性が大きい。
【符号の説明】
【００３７】
１        ローラー具
１０      把持部
２０      シャフト
２１      嵌合用凸部
３０      筒状支持部
３１      挿通孔
３２      Ｃ形リング
３２ａ    挿通孔
３３      嵌合用凹部
４０      ロール体
４１      挿通孔
Ｃ        幅
Ｄ        内径
Ｅ        外径
Ｆ        内径
Ｇ        外周面
Ｈ        外径
Ｊ        深さ
Ｋ        幅
Ｌ        長さ
Ｍ        高さ
Ｎ        内周面
Ｐ        長さ
【図１】
0003205139.tif 000003
【図２】
0003205139.tif 000004
【図３】
0003205139.tif 000005
【図４】
0003205139.tif 000006